(57)【要約】    【課題】      上面排紙トレイが開放された状態であっても印刷した用紙をジャムさせることなく装置本体の上面に排紙することができるようにすること。    【解決手段】  上面排紙トレイ１５０の支軸１５１を、上面排紙ユニット１３０の上面排紙ローラ１３２と平行に配置する。また、排紙される用紙Ｐが積載される上面排紙トレイ１５０を、その上面が装置本体１０１の上部に設けられた上面排紙口１３３よりも下方に位置するように配設する。これにより、上面排紙トレイ１５０が開放された状態であっても上面排紙口１３３が塞がれることがないので、上面排紙トレイ１５０の開閉に影響されずに、印刷した用紙Ｐをジャムさせることなく装置本体１０１の上面に排紙することができるようになる。  【選択図】      図４
2006321573.tif 000002
【特許請求の範囲】
【請求項１】
画像を形成する画像形成手段と、前記画像形成手段により画像が形成された用紙を装置本体の上面に向けて排紙する上面排紙ローラと、前記上面排紙ローラにより前記装置本体の上部に設けられた上面排紙口より排紙される用紙を受ける前記装置本体の上面に対して開閉自在な上面排紙トレイと、前記上面排紙トレイを開放することにより原稿を載置する原稿載置面が露呈される原稿載置台と、前記原稿載置台上に載置された原稿を読み取る原稿読取手段と、を備え、
前記上面排紙トレイは、前記用紙の排紙方向上流側の部位で、前記上面排紙ローラと平行な支軸により前記用紙の積載面が前記上面排紙口よりも下方に位置するように開閉自在に軸支されている画像形成装置。
【請求項２】
前記原稿読取手段は、前記装置本体に配設され、前記上面排紙トレイを閉鎖した状態で前記原稿載置台に載置した原稿を走査するスキャナからなる請求項１記載の画像形成装置。
【請求項３】
前記原稿読取手段は、前記上面排紙トレイに配設され、前記上面排紙トレイを開放した状態で前記原稿載置台に載置した被写体を撮像する撮像手段からなる請求項１記載の画像形成装置。
【発明の詳細な説明】
【技術分野】
【０００１】
本発明は、電子写真方式、静電記録方式、イオノグラフィー、磁気記録方式等の画像形成方式を採用した白黒およびカラーの複写機、プリンタ、ファクシミリ等の画像形成装置に関し、特に、印刷した用紙を装置本体の上面に排紙することができる画像形成装置に関する。
【背景技術】
【０００２】
従来、この種の画像形成装置として、装置本体上面の原稿載置台の原稿載置面に対して開閉自在に設置した上面排紙トレイ上に、画像形成ユニットで印刷した用紙を排紙するように構成したものが知られている（たとえば、特許文献１参照）。
【０００３】
この種の画像形成装置においては、一般に、装置本体の上面に配置された上面排紙トレイを開放し、これにより露呈される原稿載置台の原稿載置面（コンタクトガラス面）に原稿を載置して原稿情報を読み取るようにしている。
【０００４】
ここで、原稿載置台の原稿載置面に載置される原稿がシート状のものである場合には、通常、上面排紙トレイを閉鎖した状態で原稿の読み取りが行われる。
【０００５】
一方、原稿載置台の原稿載置面に載置される原稿がブック原稿や立体物である場合には、上面排紙トレイを完全に閉鎖することが難しいため、上面排紙トレイを開放したままの状態で原稿の読み取りを行うことが多い。
【特許文献１】特開平９−１８５２０２号公報
【発明の開示】
【発明が解決しようとする課題】
【０００６】
ところで、前記従来の画像形成装置においては、シート状の原稿のように、上面排紙トレイを閉鎖した状態で原稿情報を読み取ることができる場合には、画像形成ユニットで印刷した用紙を上面排紙トレイ上に支障なく排紙させることができる。
【０００７】
しかしながら、原稿載置台の原稿載置面に載置される原稿がブック原稿や立体物である場合には、開放された状態の上面排紙トレイによって装置本体の上部に設けられた上面排紙口が塞がれてしまうことがある。
【０００８】
このため、このような画像形成装置においては、上面排紙トレイを開放したままで原稿を読み取り、読み取った原稿情報を画像形成ユニットで印刷し、印刷した用紙を開放された上面排紙トレイ上に排紙させると、上面排紙口で用紙がジャムを起こすおそれがある。
【０００９】
このような用紙のジャムを回避するには、開放された上面排紙トレイが閉鎖されるまで、用紙の排紙を待たせればよいが、このようにすると用紙の排紙に時間がかかってしまう。
【００１０】
また、上述のような用紙のジャムを回避する他の方法として、上面排紙トレイの開放時に印刷された用紙を、上面排紙トレイ以外の別の排紙トレイに排紙させるようにしてもよいが、このようにすると装置本体が大型化してしまう。
【００１１】
本発明は、かかる点に鑑みてなされたもので、上面排紙トレイが開放された状態であっても印刷した用紙をジャムさせることなく装置本体の上面に排紙することができる画像形成装置を提供することを目的とする。
【課題を解決するための手段】
【００１２】
かかる課題を解決するため、本発明の画像形成装置は、画像を形成する画像形成手段と、前記画像形成手段により画像が形成された用紙を装置本体の上面に向けて排紙する上面排紙ローラと、前記上面排紙ローラにより前記装置本体の上部に設けられた上面排紙口より排紙される用紙を受ける前記装置本体の上面に対して開閉自在な上面排紙トレイと、前記上面排紙トレイを開放することにより原稿を載置する原稿載置面が露呈される原稿載置台と、前記原稿載置台上に載置された原稿を読み取る原稿読取手段と、を備え、前記上面排紙トレイは、前記用紙の排紙方向上流側の部位で、前記上面排紙ローラと平行な支軸により前記用紙の積載面が前記上面排紙口よりも下方に位置するように開閉自在に軸支されている構成を採る。
【発明の効果】
【００１３】
本発明によれば、上面排紙トレイが開放された状態であっても印刷した用紙をジャムさせることなく装置本体の上面に排紙することができるようになる。
【発明を実施するための最良の形態】
【００１４】
以下、本発明の実施の形態について、図面を参照して詳細に説明する。なお、各図において同一の構成または機能を有する構成要素及び相当部分には、同一の符号を付してその説明は繰り返さない。
【００１５】
（実施の形態１）
図１は、本発明の実施の形態１に係る画像形成装置の外観を示す概略斜視図である。図２は、本発明の実施の形態１に係る画像形成装置の全体構成を示す概略構成図である。
【００１６】
図１および図２に示すように、本実施の形態１に係る画像形成装置１００は、ＯＨＰシートや印字用紙などの用紙Ｐに画像を形成する画像形成手段としての画像形成ユニット１１０を備えている。本例の画像形成装置１００における画像形成ユニット１１０は、感光体ドラム１１１、レーザー光学ユニット１１２、帯電器１１３、現像ユニット１１４、転写ローラ１１５、クリーニングユニット１１６、定着ユニット１１７、スキャナ１１８などで構成されている。なお、本例の画像形成装置１００おける現像ユニット１１４は、マグネットロール１１４ａを備えた磁気ブラシ接触型の２成分現像方式の現像装置で構成されている。
【００１７】
また、本例の画像形成装置１００は、画像形成ユニット１１０に向けて用紙Ｐを給紙する給紙ユニット１２０を備えている。本例の画像形成装置１００における給紙ユニット１２０は、積層された用紙Ｐを収納する給紙カセット１２１、給紙カセット１２１から用紙Ｐを一枚ずつ分離して給紙する給紙ローラ１２２、給紙される用紙Ｐを一旦停止させ所定のタイミングで再給紙するレジストローラ１２３などで構成されている。
【００１８】
また、本例の画像形成装置１００は、画像形成ユニット１１０により画像が形成された用紙Ｐを装置本体１０１の上面に排紙する上面排紙手段としての上面排紙ユニット１３０を備えている。本例の画像形成装置１００における上面排紙ユニット１３０は、画像形成ユニット１１０により画像が形成された用紙Ｐを装置本体１０１の上部に向けて搬送する搬送ローラ１３１、搬送ローラ１３１により搬送される用紙Ｐを装置本体１０１の上面に向けて排紙する上面排紙ローラ１３２、装置本体１０１の上部に設けられた上面排紙口１３３などで構成されている。
【００１９】
また、本例の画像形成装置１００は、用紙Ｐの両面に画像を形成する際に、画像形成ユニット１１０により片面（表面）に画像が形成された用紙Ｐを、表裏を反転させて再び画像形成ユニット１１０に搬送する反転搬送ユニット１４０を備えている。本例の画像形成装置１００における反転搬送ユニット１４０は、片面（表面）に画像が形成された用紙Ｐの経路を反転搬送経路に切り替える用紙経路切替部材（切替爪）１４１、反転搬送経路に送り込まれた用紙Ｐを給紙ユニット１２０のレジストローラ１２３に向けて反転搬送する反転搬送ローラ１４２などで構成されている。
【００２０】
また、本例の画像形成装置１００は、上面排紙ユニット１３０により排紙される用紙を受ける装置本体１０１に対して開閉自在な上面排紙トレイ１５０を備えている。本例の画像形成装置１００における上面排紙トレイ１５０は、支軸１５１により装置本体１０１に遥動自在に軸支されており、開閉端部側に設けられた取っ手１５２を持って上下に遥動させることにより装置本体１０１に対して開閉される。
【００２１】
また、本例の画像形成装置１００は、図３および図４に示すように、シート原稿およびブック原稿や立体的な被写体を載置することが可能な原稿載置台１６０を備えている。本例の画像形成装置１００における原稿載置台１６０は、上面排紙トレイ１５０を開放することにより、原稿（ここでは、シート原稿Ｓ）を載置する原稿載置面１６１が露呈されるように構成されている。
【００２２】
ここで、シート原稿Ｓの画像情報を読み取る場合には、図３に示すように、上面排紙トレイ１５０を開放して露呈させた原稿載置台１６０の原稿載置面１６１の所定位置にシート原稿Ｓをセットし、図２に示すように、上面排紙トレイ１５０を閉鎖する。
【００２３】
この状態で、装置本体１０１の上部に設けられた図示しない操作部のスタートボタンを押すと、スキャナ１１８が動作して原稿載置面１６１に載置されたシート原稿Ｓの画像情報を読み取る。
【００２４】
スキャナ１１８が読み取ったシート原稿Ｓの画像情報は、図示しない制御部のメモリに一旦蓄積される。なお、ここで、スキャナ１１８が読み取ったシート原稿Ｓの画像情報は、制御部のメモリに蓄積せずに感光体ドラム１１１に直接露光するようにしてもよい。
【００２５】
そして、スキャナ１１８が読み取ったシート原稿Ｓの画像情報を給紙ユニット１２０により給紙される用紙Ｐに印刷する場合には、周知の電子写真方式による画像形成プロセスが感光体ドラム１１１の周囲でおこなわれる。
【００２６】
本例の画像形成装置１００においては、まず、感光体ドラム１１１の表面に、帯電器１１３によって、約−７００Ｖ程度に帯電される。その後、感光体ドラム１１１の表面には、露光装置としてのレーザー光学ユニット１１２によって、レーザー光が照射され、入力画像情報（ここでは、スキャナ１１８が読み取ったシート原稿Ｓの画像情報）に応じた静電潜像が形成される。
【００２７】
感光体ドラム１１１は、レーザー光学ユニット１１２で静電潜像を書き込まれた際に、その画像露光部の表面電位が、−１００Ｖ以下程度にまで除電される。
【００２８】
一方、現像ユニット１１４のマグネットロール１１４ａ上に存在するトナーの帯電量は、概ね−２０〜−３０μＣ／ｇ程度である。この現像ユニット１１４においては、ＡＣ＋ＤＣの現像電圧を印加して現像が実施されるが、この現像電圧は、ＡＣが４ｋＨｚ、１．６ｋＶｐｐで、ＤＣが−２５０Ｖ程度である。
【００２９】
これにより、−１００Ｖ以下程度にまで除電された感光体ドラム１１１上には、その画像露光部にトナーが付着することでトナー像が形成される。
【００３０】
その後、感光体ドラム１１１上に形成されたトナー像は、転写ローラ１１５によって約＋５００Ｖ程度に帯電した用紙Ｐ上に転写される。
【００３１】
そして、用紙Ｐに付着したトナー像は、定着ユニット１１７を通過する際に、熱と圧力を加えられることによって一旦溶融した後、用紙Ｐ上に固着する。
【００３２】
その後、トナー像が固着した用紙Ｐは、上面排紙ユニット１３０の上面排紙ローラ１３２により、装置本体１０１の上部に設けられた上面排紙口１３３から上面排紙トレイ１５０上に排紙されて積載される。
【００３３】
ところで、図２に示すように、シート原稿Ｓの原稿情報をスキャナ１１８により読み取る場合には、上面排紙トレイ１５０が閉鎖されているので、画像形成ユニット１１０で印刷した用紙Ｐを上面排紙トレイ１５０上に支障なく排紙させることができる。
【００３４】
しかしながら、ブック原稿や立体物などを読み取る場合には、前述したように、上面排紙トレイ１５０が開放されたままとなるため、印刷した用紙Ｐを開放された上面排紙トレイ１５０上に排紙させると、上面排紙口１３３で用紙Ｐがジャムを起こすおそれがある。
【００３５】
そこで、本例の画像形成装置１００においては、図２に示すように、上面排紙トレイ１５０の支軸１５１を、上面排紙ユニット１３０の上面排紙ローラ１３２と平行に配置する。また、排紙される用紙Ｐが積載される上面排紙トレイ１５０を、その上面が装置本体１０１の上部に設けられた上面排紙口１３３よりも下方に位置するように配設する。
【００３６】
本例の画像形成装置１００においては、図４に示すように、上面排紙トレイ１５０が開放された状態であっても上面排紙口１３３が塞がれることがないので、図２に示すように閉鎖された状態、および図４に示すように開放された状態のいずれの状態でも上面排紙口１３３から排紙される用紙Ｐの排紙経路を確保することができる。
【００３７】
従って、本例の画像形成装置１００においては、上面排紙トレイ１５０の開閉に影響されずに、印刷した用紙Ｐをジャムさせることなく装置本体１０１の上面に排紙することができるようになる。
【００３８】
また、本例の画像形成装置１００においては、上面排紙トレイ１５０の開放時に印刷された用紙Ｐを装置本体１０１の側部に設けた別の排紙トレイに排紙する構成とする必要がないので、装置本体１０１を小型化して設置面積を小さくすることができ、かつ排紙された用紙Ｐの取り出し操作も容易に行うことができる。
【００３９】
（実施の形態２）
次に、図５および図６を参照して、本発明の実施の形態２に係る画像形成装置について説明する。図５は、本発明の実施の形態２に係る画像形成装置の上面排紙トレイを開放して被写体を撮像する状態の外観を示す概略斜視図である。図６は、本発明の実施の形態２に係る画像形成装置の上面排紙トレイを開放して被写体を撮像する状態の構成を示す概略断面図である。
【００４０】
図５および図６に示すように、本例の画像形成装置２００は、原稿載置台１６０に載置した、主として立体的な被写体（ここでは、ブック原稿Ｂ）を撮像するための撮像手段としての二次元センサ１７０を備えている。
【００４１】
本例の画像形成装置２００における二次元センサ１７０は、ＣＣＤやＣＭＯＳなどのイメージセンサを２次元に配置して構成されている。
【００４２】
また、本例の画像形成装置２００における二次元センサ１７０は、その撮像面が原稿載置台１６０の原稿載置面１６１と対向し、かつ支点１７１を中心として回動するように上面排紙トレイ１５０に配設されている。
【００４３】
ここで、二次元センサ１７０により被写体であるブック原稿Ｂを撮像する場合には、図３および図４に示すように、上面排紙トレイ１５０を開放して露呈させた原稿載置台１６０の原稿載置面１６１上に、ブック原稿Ｂを上向きに見開いて載置する。
【００４４】
本例の画像形成装置２００は、実施の形態１に係る画像形成装置１００と同様に、上面排紙トレイ１５０の支軸１５１が上面排紙ユニット１３０の上面排紙ローラ１３２と平行に配置されている。また、排紙される用紙Ｐが積載される上面排紙トレイ１５０は、その上面が装置本体１０１の上部に設けられた上面排紙口１３３よりも下方に位置するように配設されている。
【００４５】
従って、本例の画像形成装置２００においては、図６に示すように、二次元センサ１７０により撮像して撮像画像を印刷した用紙Ｐを、開放された状態の上面排紙トレイ１５０上にジャムさせることなく排紙することができる。
【００４６】
また、本例の画像形成装置２００においては、上面排紙トレイ１５０が撮像手段である二次元センサ１７０の支持体を兼ねているので、例えば撮像手段である二次元センサ１７０を支持するための支持体（フレーム）を装置本体１０１の上方に設ける必要がなく、装置全体を小型化することができる。
【産業上の利用可能性】
【００４７】
本発明に係る画像形成装置は、上面排紙トレイが開放された状態であっても印刷された用紙をジャムさせることなく装置本体の上面に排紙することができるので、電子写真方式、静電記録方式、イオノグラフィー、磁気記録方式等の画像形成方式を採用した白黒およびカラーの複写機、プリンタ、ファクシミリ等の画像形成装置として有用である。
【図面の簡単な説明】
【００４８】
【図１】本発明の実施の形態１に係る画像形成装置の外観を示す概略斜視図
【図２】本発明の実施の形態１に係る画像形成装置の全体構成を示す概略構成図
【図３】本発明の実施の形態１に係る画像形成装置の上面排紙トレイを開放した状態の外観を示す概略斜視図
【図４】本発明の実施の形態１に係る画像形成装置の上面排紙トレイを開放した状態の構成を示す概略構成図
【図５】本発明の実施の形態２に係る画像形成装置の上面排紙トレイを開放して被写体を撮像する状態の外観を示す概略斜視図
【図６】本発明の実施の形態２に係る画像形成装置の上面排紙トレイを開放して被写体を撮像する状態の構成を示す概略断面図
【符号の説明】
【００４９】
１００  画像形成装置
１０１  装置本体
１１０  画像形成ユニット
１１８  スキャナ
１２０  給紙ユニット
１３０  上面排紙ユニット
１３２  上面排紙ローラ
１３３  上面排紙口
１５０  上面排紙トレイ
１５１  上面排紙トレイの支軸
１６０  原稿載置台
１６１  原稿載置面
１７０  二次元センサ
Ｂ  ブック原稿
Ｓ  シート原稿
【図１】
2006321573.tif 000003
【図２】
2006321573.tif 000004
【図３】
2006321573.tif 000005
【図４】
2006321573.tif 000006
【図５】
2006321573.tif 000007
【図６】
2006321573.tif 000008